(57)【特許請求の範囲】
【請求項１】
ガラスバルブ内に放電ガスが封入された無電極放電灯と、無電極放電灯が固定されたケースと、無電極放電灯に近接配置されたコイル部及び当該コイル部から引き出され先端が前記ケース内に挿入されたリード線よりなる誘導コイルと、前記ケースの外部に設けられ、高周波電力を誘導コイルに供給する高周波電源回路と、一端が前記ケース内に挿入され、高周波電源回路と誘導コイルとの間を電気的に接続する同軸ケーブルとを備え、同軸ケーブルにおけるケース内への挿入部位とコイル部の中心軸との間の最短距離よりも、同軸ケーブルにおけるケース内への挿入部位とリード線におけるケース内への挿入部位との間の距離が長く、且つ同軸ケーブルにおけるケース内への挿入部位とリード線におけるケース内への挿入部位とを結ぶ直線がコイル部の中心軸を通るように同軸ケーブル及びリード線が配置されたことを特徴とする無電極放電灯点灯装置。
【請求項２】
誘導コイルのコイル部は、ガラスバルブの外周面に沿って近接配置されたことを特徴とする請求項１記載の無電極放電灯点灯装置。
【請求項３】
上記ガラスバルブは凹部を有し、該凹部の内壁に沿って誘導コイルのコイル部が近接配置されたことを特徴とする請求項１記載の無電極放電灯点灯装置。
【請求項４】
誘導コイル及び無電極放電灯と高周波電源回路とのインピーダンスを整合させるマッチング回路を具備したことを特徴とする請求項１記載の無電極放電灯点灯装置。
【請求項５】
上記マッチング回路は上記ケース内に収納されたことを特徴とする請求項４記載の無電極放電灯点灯装置。
【請求項６】
無電極放電灯とケースと誘導コイルと高周波電源回路と同軸ケーブルとで構成される点灯ブロックを複数組有し、複数の無電極放電灯が隣接して配置されており、一方の点灯ブロックにおける同軸ケーブルのケース内への挿入部位とコイル部の中心軸との間の最短距離よりも、一方の点灯ブロックにおける同軸ケーブルのケース内への挿入部位と、他方の点灯ブロックにおけるリード線のケース内への挿入部位との間の距離が長くなるように、各ブロックの同軸ケーブル及びリード線が配置されたことを特徴とする請求項１記載の無電極放電灯点灯装置。
【請求項７】
無電極放電灯とケースと誘導コイルと高周波電源回路と同軸ケーブルとで構成される点灯ブロックを複数組有し、複数の無電極放電灯が隣接して配置されており、一方の点灯ブロックにおける同軸ケーブルのケース内への挿入部位は隣接する点灯ブロック側に配置され、リード線のケース内への挿入部位は隣接する点灯ブロックと反対側に配置されたことを特徴とする請求項１記載の無電極放電灯点灯装置。
【請求項８】
ガラスバルブ内に放電ガスが封入された無電極放電灯と、無電極放電灯が固定されたケースと、無電極放電灯に近接配置されたコイル部及び当該コイル部から引き出され先端が前記ケース内に挿入されたリード線よりなる誘導コイルと、前記ケースの外部に設けられ、高周波電力を誘導コイルに供給する高周波電源回路と、誘導コイル及び無電極放電灯と高周波電源回路とのインピーダンスを整合させるためにケース内に配置されたマッチング回路と、一端が前記ケース内に挿入され、高周波電源回路と誘導コイルとの間を電気的に接続する同軸ケーブルとを備え、同軸ケーブルにおけるケース内への挿入部位とコイル部の中心軸との間の最短距離よりも、同軸ケーブルにおけるケース内への挿入部位とリード線におけるケース内への挿入部位との間の距離が長くなり、且つ、同軸ケーブルにおけるケース内への挿入部位と、リード線におけるケース内への挿入部位とを結ぶ直線がコイル部の中心軸を通るように同軸ケーブル及びリード線が配置されたことを特徴とする無電極放電灯点灯装置。
【発明の詳細な説明】
【０００１】
【発明の属する技術分野】
本発明は、無電極放電灯点灯装置に関するものである。
【０００２】
【従来の技術】
図６に従来の無電極放電灯点灯装置の外観図を示す（例えば実用新案登録公報第２５６７１０８号参照）。この無電極放電灯点灯装置は、ガラスバルブ内に放電ガスが封入された無電極放電灯１と、無電極放電灯１に近接配置されたコイル部２ａ及びコイル部２ａから引き出されたリード線２ｂからなる誘導コイル２とを少なくとも収納した無電極放電灯ユニット１０と、誘導コイル２に高周波電力を供給する高周波電源回路（図示せず）を内蔵した点灯回路ユニット１１とを備えており、互いに分離された無電極放電灯ユニット１０と点灯回路ユニット１１との間は同軸ケーブル１３を介して電気的に接続されている。ここに、無電極放電灯１は、金属線などでメッシュ状に形成されたシールドケース１２によって覆われており、無電極放電灯１や誘導コイル２から放射されるノイズを遮蔽している。
【０００３】
この無電極放電灯点灯装置では、無電極放電灯ユニット１０と点灯回路ユニット１１とが互いに分離され、各ユニット１０，１１間は同軸ケーブル１３により電気的に接続されているので、無電極放電灯１の発熱が点灯回路ユニット１１に伝導して、回路部品の信頼性が低下するという問題や、回路部品の発熱が無電極放電灯１に伝導して、無電極放電灯１の温度が上昇し、発光効率が著しく低下するという問題を防止できる。
【０００４】
【発明が解決しようとする課題】
上記構成の無電極放電灯点灯装置では、シールドケース１２により無電極放電灯１や誘導コイル２から放射されるノイズを遮蔽しているが、誘導コイル２と同軸ケーブル１３との位置関係によっては、誘導コイル２のリード線２ｂから放射されたノイズが同軸ケーブル１３を介して高周波電源回路に伝わり、高周波電源回路が誤動作するといった悪影響を及ぼす虞がある。また、ノイズ防止のため無電極放電灯１をシールドケース１２で覆っているので、無電極放電灯１の光がシールドケース１２によって遮られ、光出力が減退するという問題もあった。
【０００５】
本発明は上記問題点に鑑みて為されたものであり、その目的とするところは、無電極放電灯の光出力が低下することなく、誘導コイルの放射するノイズが高周波電源回路に悪影響を与えるのを防止した無電極放電灯点灯装置を提供することにある。
【０００６】
【課題を解決するための手段】
上記目的を達成するために、請求項１の発明では、ガラスバルブ内に放電ガスが封入された無電極放電灯と、無電極放電灯が固定されたケースと、無電極放電灯に近接配置されたコイル部及び当該コイル部から引き出され先端が前記ケース内に挿入されたリード線よりなる誘導コイルと、前記ケースの外部に設けられ、高周波電力を誘導コイルに供給する高周波電源回路と、一端が前記ケース内に挿入され、高周波電源回路と誘導コイルとの間を電気的に接続する同軸ケーブルとを備え、同軸ケーブルにおけるケース内への挿入部位とコイル部の中心軸との間の最短距離よりも、同軸ケーブルにおけるケース内への挿入部位とリード線におけるケース内への挿入部位との間の距離が長くなるように同軸ケーブル及びリード線が配置されたことを特徴とし、同軸ケーブルの挿入部位とリード線の挿入部位との間の距離が、同軸ケーブルの挿入部位とコイル部の中心軸との間の最短距離よりも長く、且つ同軸ケーブルにおけるケース内への挿入部位とリード線におけるケース内への挿入部位とを結ぶ直線がコイル部の中心軸を通るように、同軸ケーブル及びリード線が配置されているので、両者の間隔を十分確保することによって、リード線から放射されたノイズが同軸ケーブルへ誘導して、高周波電源回路の動作に悪影響を与えるのを防止することができ、且つ、従来の無電極放電灯点灯装置のように無電極放電灯を覆うシールドケースが不要なので、シールドケースによって無電極放電灯の光出力が減光されるのを防止できる。
【０００７】
請求項２の発明では、請求項１の発明において、誘導コイルのコイル部は、ガラスバルブの外周面に沿って近接配置されたことを特徴とし、請求項１の発明と同様の作用を奏する。
【０００８】
請求項３の発明では、請求項１の発明において、上記ガラスバルブは凹部を有し、該凹部の内壁に沿って誘導コイルのコイル部が近接配置されたことを特徴とし、請求項１の発明と同様の作用を奏する。
【０００９】
請求項４の発明では、請求項１の発明において、高周波電源回路と、誘導コイル及び無電極放電灯とのインピーダンスを整合させるマッチング回路を具備したことを特徴とし、マッチング回路により誘導コイル及び無電極放電灯と高周波電源回路とのインピーダンスを整合させることができ、反射を無くして、無電極放電灯に効率良く高周波電力を伝達することができる。
【００１０】
請求項５の発明では、請求項４の発明において、上記マッチング回路は上記ケース内に収納されたことを特徴とし、請求項４の発明と同様の作用を奏する。
【００１１】
請求項６の発明では、請求項１の発明において、無電極放電灯とケースと誘導コイルと高周波電源回路と同軸ケーブルとで構成される点灯ブロックを複数組有し、複数の無電極放電灯が隣接して配置されており、一方の点灯ブロックにおける同軸ケーブルのケース内への挿入部位とコイル部の中心軸との間の最短距離よりも、一方の点灯ブロックにおける同軸ケーブルのケース内への挿入部位と、他方の点灯ブロックにおけるリード線のケース内への挿入部位との間の距離が長くなるように、各ブロックの同軸ケーブル及びリード線が配置されたことを特徴とし、一方の点灯ブロックにおける同軸ケーブルの挿入部位と、他方の点灯ブロックのおけるリード線の挿入部位との間の距離が、一方の点灯ブロックにおける同軸ケーブルの挿入部位とコイル部の中心軸との間の最短距離よりも長くなっているので、他の点灯ブロックも含めて同軸ケーブルとリード線との間の距離を十分確保することができ、リード線から放射されたノイズが同軸ケーブルへ誘導して、高周波電源回路の動作に悪影響を与えるのを防止することができる。
【００１２】
請求項７の発明では、請求項１の発明において、無電極放電灯とケースと誘導コイルと高周波電源回路と同軸ケーブルとで構成される点灯ブロックを複数組有し、複数の無電極放電灯が隣接して配置されており、一方の点灯ブロックにおける同軸ケーブルのケース内への挿入部位は隣接する点灯ブロック側に配置され、リード線のケース内への挿入部位は隣接する点灯ブロックと反対側に配置されたことを特徴とし、各点灯ブロックの同軸ケーブルを他の点灯ブロックのリード線から遠ざけることができ、他の点灯ブロックも含めて同軸ケーブルとリード線との間の距離を十分確保することにより、リード線から放射されたノイズが同軸ケーブルへ誘導して、高周波電源回路の動作に悪影響を与えるのを防止することができる。
【００１３】
請求項８の発明では、ガラスバルブ内に放電ガスが封入された無電極放電灯と、無電極放電灯が固定されたケースと、無電極放電灯に近接配置されたコイル部及び当該コイル部から引き出され先端が前記ケース内に挿入されたリード線よりなる誘導コイルと、前記ケースの外部に設けられ、高周波電力を誘導コイルに供給する高周波電源回路と、誘導コイル及び無電極放電灯と高周波電源回路とのインピーダンスを整合させるためにケース内に配置されたマッチング回路と、一端が前記ケース内に挿入され、高周波電源回路と誘導コイルとの間を電気的に接続する同軸ケーブルとを備え、同軸ケーブルにおけるケース内への挿入部位とコイル部の中心軸との間の最短距離よりも、同軸ケーブルにおけるケース内への挿入部位とリード線におけるケース内への挿入部位との間の距離が長くなり、且つ、同軸ケーブルにおけるケース内への挿入部位と、リード線におけるケース内への挿入部位とを結ぶ直線がコイル部の中心軸を通るように同軸ケーブル及びリード線が配置されたことを特徴とし、同軸ケーブルの挿入部位とリード線の挿入部位との間の距離が、同軸ケーブルの挿入部位とコイル部の中心軸との間の最短距離よりも長くなるように、同軸ケーブル及びリード線が配置されているので、両者の間隔を十分確保することによって、リード線から放射されたノイズが同軸ケーブルへ誘導して、高周波電源回路の動作に悪影響を与えるのを防止することができ、且つ、従来の無電極放電灯点灯装置のように無電極放電灯を覆うシールドケースが不要なので、シールドケースによって無電極放電灯の光出力が減光されるのを防止できる。
【００１４】
【発明の実施の形態】
本発明の実施の形態を図面を参照して説明する。
【００１５】
（実施形態１）
本実施形態の無電極放電灯点灯装置の概略構成図を図１に、一部省略せる外観斜視図を図２に夫々示す。この無電極放電灯点灯装置は、ガラスバルブ内に放電ガスが封入された無電極放電灯１と、この無電極放電灯１が固定されるケース３と、無電極放電灯１の外周面に沿って近接配置されるコイル部２ａ及びコイル部２ａから引き出され先端がケース３内に挿入されたリード線２ｂよりなる誘導コイル２と、ケース３の外部に設けられ、高周波電力を誘導コイル２に供給する高周波電源回路の回路部品が実装されたプリント基板５と、一端がケース３内に挿入され、高周波電源回路と誘導コイル２との間を電気的に接続する同軸ケーブル１３とを備えている。ここに、無電極放電灯１、誘導コイル２及びケース３から無電極放電灯ユニット１０が構成される。また、高周波電源回路の回路部品が実装されたプリント基板５と、プリント基板５を収納するケース６とから点灯回路ユニット１１が構成される。尚、図２では説明を簡単にするため無電極放電灯１及び高周波電源回路を省略して図示してある。
【００１６】
ここで、図２に示すように同軸ケーブル１３におけるケース３内への挿入部位とコイル部２ａの中心軸（図２中に破線で示す）との間の最短距離Ｌ１よりも、同軸ケーブル１３におけるケース３内への挿入部位とリード線２ｂにおけるケース３内への挿入部位との間の距離Ｌ２が長くなり、且つ同軸ケーブル１３におけるケース３内への挿入部位と、誘導コイル２のリード線２ｂにおけるケース３内への挿入部位とを結ぶ直線が、コイル部２ａの中心軸を通るようにリード線２ｂ及び同軸ケーブル１３を配置している。したがって、リード線２ｂにおけるケース３内への挿入部位と同軸ケーブル１３におけるケース３内への挿入部位との間を遠ざけて、両者の間の距離を十分確保することができ、誘導コイル２のリード線２ｂから放射されたノイズが同軸ケーブル１３に誘導して、高周波電源回路へ悪影響を及ぼすのを防止することができる。
【００１７】
また、リード線２ｂのケース３内への挿入部位と、同軸ケーブル１３のケース３内への挿入部位との間の距離を確実に確保することができ、誘導コイル２のリード線２ｂから放射されたノイズが同軸ケーブル１３に誘導して、高周波電源回路へ悪影響を及ぼすのを確実に防止できる。
【００１８】
（実施形態２）
本実施形態の無電極放電灯点灯装置の概略構成図を図３に、ブロック図を図４に夫々示す。実施形態１の無電極放電灯点灯装置では、誘導コイル２のコイル部２ａを無電極放電灯１の外周面に沿って近接配置しているが、本実施形態の無電極放電灯点灯装置では、無電極放電灯１の表面に凹部１ａを設けており、誘導コイル２のコイル部２ａを凹部１ａの内壁に沿って近接配置している。また、本実施形態では、無電極放電灯１及び誘導コイル２と高周波電源回路７とのインピーダンスを整合させるためのマッチング回路８を設けており、マッチング回路８の回路部品が実装されたプリント基板４をケース３内に収納している。この点灯装置では、マッチング回路により無電極放電灯１及び誘導コイル２と高周波電源回路７とのインピーダンスを整合し、反射を無くしているので、無電極放電灯１に効率良く高周波電力を伝達することができる。尚、実施形態１の無電極放電灯点灯装置において、マッチング回路８を設けても良く、本実施形態と同様、無電極放電灯１に効率良く高周波電力を供給することが出来る。
【００１９】
また、本実施形態では、無電極放電灯１に設けられた凹部１ａの内壁に沿って、誘導コイル２のコイル部２ａを近接配置しているが、実施形態１と同様、同軸ケーブル１３におけるケース３内への挿入部位と、コイル部２ａの中心軸（図３中に破線で示す）との間の最短距離Ｌ１よりも、同軸ケーブル１３におけるケース３内への挿入部位と、リード線２ｂにおけるケース３内への挿入部位との間の距離Ｌ２が長くなるように、誘導コイル２のリード線２ｂ及び同軸ケーブル１３は配置されている。したがって、同軸ケーブル１３のケース３内への挿入部位と、リード線２ｂのケース３内への挿入部位との間の距離を十分確保することができ、誘導コイル２のリード線２ｂから放射されたノイズが同軸ケーブル１３に誘導して、高周波電源回路へ悪影響を及ぼすのを防止できる。
【００２０】
（実施形態３）
本実施形態の無電極放電灯点灯装置の概略構成図を図５に示す。本実施形態では、実施形態１の無電極放電灯点灯装置において、無電極放電灯ユニット１０ａ，１０ｂ及び点灯回路ユニット１１ａ，１１ｂを複数組（例えば２組）設け、複数の無電極放電灯１，１を隣接して配置している。尚、各無電極放電灯ユニット１０ａ，１０ｂ及び点灯回路ユニット１１ａ，１１ｂの構成は実施形態１と同様であるので、同一の構成要素には同一の符号を付して、その説明を省略する。
【００２１】
ここで、各無電極放電灯ユニット１０ａ，１０ｂでは、実施形態１又は２と同様、同軸ケーブル１３におけるケース３内への挿入部位と、コイル部２ａの中心軸（図６中に破線で示す）との間の最短距離Ｌ１よりも、同軸ケーブル１３におけるケース３内への挿入部位と、リード線２ｂにおけるケース３内への挿入部位との間の距離Ｌ２が長くなるように、リード線２ｂ及び同軸ケーブル１３は配置されている。したがって、同軸ケーブル１３のケース３内への挿入部位と、リード線２ｂのケース３内への挿入部位との間の距離を十分確保することができ、誘導コイル２のリード線２ｂから放射されたノイズが同軸ケーブル１３に誘導して、高周波電源回路へ悪影響を及ぼすのを防止できる。
【００２２】
また、各無電極放電灯ユニット１０ａ，１０ｂの内、一方の無電極放電灯ユニット１０ａ（又は１０ｂ）における同軸ケーブル１３のケース３内への挿入部位は隣接する無電極放電灯ユニット１０ｂ（又は１０ａ）側（内側）に配置され、リード線２ｂのケース３内への挿入部位は隣接する無電極放電灯ユニット１０ｂ（１０ａ）と反対側（外側）に配置されている。
【００２３】
すなわち、一方の無電極放電灯ユニット１０ａにおける同軸ケーブル１３のケース３内への挿入部位と、コイル部２ａの中心軸との間の最短距離Ｌ１よりも、一方の無電極放電灯ユニット１０ａにおける同軸ケーブル１３のケース３内への挿入部位と、他方の無電極放電灯ユニット１０ｂにおけるリード線２ｂのケース３内への挿入部位との間の距離Ｌ３が長くなるように、各無電極放電灯ユニット１０ａ，１０ｂの同軸ケーブル１３及びリード線２ｂは配置されている。
【００２４】
したがって、複数灯の無電極放電灯１が隣接して配置された場合でも、他の無電極放電灯ユニット１０ｂを含めて、同軸ケーブル１３とリード線２ｂとの間の距離を十分確保することができ、誘導コイル２のリード線２ｂから放射されたノイズが、同じ無電極放電灯ユニット１０ａの同軸ケーブル１３や、他の無電極放電灯ユニット１０ｂの同軸ケーブル１３へ誘導することによって、それらの高周波電源回路に悪影響を及ぼすのを防止することができる。
【００２５】
【発明の効果】
上述のように、請求項１の発明は、ガラスバルブ内に放電ガスが封入された無電極放電灯と、無電極放電灯が固定されたケースと、無電極放電灯に近接配置されたコイル部及び当該コイル部から引き出され先端が前記ケース内に挿入されたリード線よりなる誘導コイルと、前記ケースの外部に設けられ、高周波電力を誘導コイルに供給する高周波電源回路と、一端が前記ケース内に挿入され、高周波電源回路と誘導コイルとの間を電気的に接続する同軸ケーブルとを備え、同軸ケーブルにおけるケース内への挿入部位とコイル部の中心軸との間の最短距離よりも、同軸ケーブルにおけるケース内への挿入部位とリード線におけるケース内への挿入部位との間の距離が長く、且つ同軸ケーブルにおけるケース内への挿入部位とリード線におけるケース内への挿入部位とを結ぶ直線がコイル部の中心軸を通るように同軸ケーブル及びリード線が配置されたことを特徴とし、同軸ケーブルの挿入部位とリード線の挿入部位との間の距離が、同軸ケーブルの挿入部位とコイル部の中心軸との間の最短距離よりも長くなるように、同軸ケーブル及びリード線が配置されているので、両者の間隔を十分確保することによって、リード線から放射されたノイズが同軸ケーブルへ誘導して、高周波電源回路の動作に悪影響を与えるのを防止できるという効果があり、且つ、従来の無電極放電灯点灯装置のように無電極放電灯を覆うシールドケースが不要なので、シールドケースによって無電極放電灯の光出力が減光されるのを防止できるという効果もある。
【００２６】
請求項２の発明は、請求項１の発明において、誘導コイルのコイル部は、ガラスバルブの外周面に沿って近接配置されたことを特徴とし、請求項１の発明と同様の効果を奏する。
【００２７】
請求項３の発明は、請求項１の発明において、上記ガラスバルブは凹部を有し、該凹部の内壁に沿って誘導コイルのコイル部が近接配置されたことを特徴とし、請求項１の発明と同様の効果を奏する。
【００２８】
請求項４の発明は、請求項１の発明において、高周波電源回路と、誘導コイル及び無電極放電灯とのインピーダンスを整合させるマッチング回路を具備したことを特徴とし、マッチング回路により誘導コイル及び無電極放電灯と高周波電源回路とのインピーダンスを整合させることができ、反射を無くして、無電極放電灯に効率良く高周波電力を伝達できるという効果がある。
【００２９】
請求項５の発明は、請求項４の発明において、上記マッチング回路は上記ケース内に収納されたことを特徴とし、請求項４の発明と同様の効果を奏する。
【００３０】
請求項６の発明は、請求項１の発明において、無電極放電灯とケースと誘導コイルと高周波電源回路と同軸ケーブルとで構成される点灯ブロックを複数組有し、複数の無電極放電灯が隣接して配置されており、一方の点灯ブロックにおける同軸ケーブルのケース内への挿入部位とコイル部の中心軸との間の最短距離よりも、一方の点灯ブロックにおける同軸ケーブルのケース内への挿入部位と、他方の点灯ブロックにおけるリード線のケース内への挿入部位との間の距離が長くなるように、各ブロックの同軸ケーブル及びリード線が配置されたことを特徴とし、一方の点灯ブロックにおける同軸ケーブルの挿入部位と、他方の点灯ブロックのおけるリード線の挿入部位との間の距離が、一方の点灯ブロックにおける同軸ケーブルの挿入部位とコイル部の中心軸との間の最短距離よりも長くなっているので、他の点灯ブロックも含めて同軸ケーブルとリード線との間の距離を十分確保することができ、リード線から放射されたノイズが同軸ケーブルへ誘導して、高周波電源回路の動作に悪影響を与えるのを防止できるという効果がある。
【００３１】
請求項７の発明は、請求項１の発明において、無電極放電灯とケースと誘導コイルと高周波電源回路と同軸ケーブルとで構成される点灯ブロックを複数組有し、複数の無電極放電灯が隣接して配置されており、一方の点灯ブロックにおける同軸ケーブルのケース内への挿入部位は隣接する点灯ブロック側に配置され、リード線のケース内への挿入部位は隣接する点灯ブロックと反対側に配置されたことを特徴とし、各点灯ブロックの同軸ケーブルを他の点灯ブロックのリード線から遠ざけることができ、他の点灯ブロックも含めて同軸ケーブルとリード線との間の距離を十分確保することにより、リード線から放射されたノイズが同軸ケーブルへ誘導して、高周波電源回路の動作に悪影響を与えるのを防止できるという効果がある。
【００３２】
請求項８の発明は、ガラスバルブ内に放電ガスが封入された無電極放電灯と、無電極放電灯が固定されたケースと、無電極放電灯に近接配置されたコイル部及び当該コイル部から引き出され先端が前記ケース内に挿入されたリード線よりなる誘導コイルと、前記ケースの外部に設けられ、高周波電力を誘導コイルに供給する高周波電源回路と、誘導コイル及び無電極放電灯と高周波電源回路とのインピーダンスを整合させるためにケース内に配置されたマッチング回路と、一端が前記ケース内に挿入され、高周波電源回路と誘導コイルとの間を電気的に接続する同軸ケーブルとを備え、同軸ケーブルにおけるケース内への挿入部位とコイル部の中心軸との間の最短距離よりも、同軸ケーブルにおけるケース内への挿入部位とリード線におけるケース内への挿入部位との間の距離が長くなり、且つ、同軸ケーブルにおけるケース内への挿入部位と、リード線におけるケース内への挿入部位とを結ぶ直線がコイル部の中心軸を通るように同軸ケーブル及びリード線が配置されたことを特徴とし、同軸ケーブルの挿入部位とリード線の挿入部位との間の距離が、同軸ケーブルの挿入部位とコイル部の中心軸との間の最短距離よりも長くなるように、同軸ケーブル及びリード線が配置されているので、両者の間隔を十分確保することによって、リード線から放射されたノイズが同軸ケーブルへ誘導して、高周波電源回路の動作に悪影響を与えるのを防止できるという効果があり、且つ、従来の無電極放電灯点灯装置のように無電極放電灯を覆うシールドケースが不要なので、シールドケースによって無電極放電灯の光出力が減光されるのを防止できるという効果もある。
【図面の簡単な説明】
【図１】  実施形態１の無電極放電灯点灯装置の概略構成図である。
【図２】    同上の無電極放電灯点灯装置を示す一部省略せる外観斜視図である。
【図３】    実施形態２の無電極放電灯点灯装置を示す概略構成図である。
【図４】    同上のブロック図である。
【図５】    実施形態３の無電極放電灯点灯装置を示す概略構成図である。
【図６】    従来の無電極放電灯点灯装置の外観図である。
【符号の説明】
２  誘導コイル
２ａ  コイル部
２ｂ  リード線
３  ケース
１３  同軸ケーブル
Ｌ１，Ｌ２  距離
【図１】
0003767265.tif 000002
【図２】
0003767265.tif 000003
【図３】
0003767265.tif 000004
【図４】
0003767265.tif 000005
【図５】
0003767265.tif 000006
【図６】
0003767265.tif 000007